(57)【要約】ＲＳＳ／ＣＳバーコード等のバーコード記号を有する折畳み密封式包袋が提供される。該包装は、好ましくは、人が読める情報を含む。一実施形態においては、前記包装は患者のための錠剤を収容する。そのような場合、患者介護者の指示が電子的に受信され、錠剤は分配され、前記折畳み密封式包袋が形成され、そして、そこに錠剤が収容される。錠剤が収容された折畳み密封式包袋は患者に提供される。
2006519731.tif 000002
【特許請求の範囲】
【請求項１】
折畳み密封式包袋であって、
折畳み箇所を規定するための包袋の折畳み点線と、
密封剤であって、前記包袋が前記折畳み点線で折り畳まれた後に前記包袋の形状を維持するとともに、前記包袋が折り畳まれて少なくとも部分的に密封された後に、前記包袋が内容物を収容するための容器となるように成形される、前記密封剤と、
前記包袋上のバーコードであって、少なくとも前記包袋の内容物に関する情報を含むバーコードと、
を含む、前記包袋。
【請求項２】
前記内容物が薬剤とハードウェアの少なくとも一方を含む、請求項１の折畳み密封式包袋。
【請求項３】
前記薬剤が、カプセルと錠剤とジェルキャップと溶解ストリップとキャプレッツのうち少なくとも一つを含む、請求項２の折畳み密封式包袋。
【請求項４】
前記包袋に印刷された人が読める情報を更に含む、請求項１の折畳み密封式包袋。
【請求項５】
前記人が読める情報が、前記包袋を受け取る予定の患者と、前記包袋の内容物と、前記包袋を開封する際の指示とのうち少なくとも一つに関する、請求項４の折畳み密封式包袋。
【請求項６】
前記包袋の前記内容物を表すイメージを更に含む、請求項１の折畳み密封式包袋。
【請求項７】
ポリコート部分を更に含む、請求項１の折畳み密封式包袋。
【請求項８】
前記折畳み密封式包袋のストリップにおける個別折畳み密封式包袋の分離を可能にする切取り点線部分を更に含む、請求項１の折畳み密封式包袋。
【請求項９】
前記バーコードがＲＳＳ／ＣＳバーコードである、請求項１の折畳み密封式包袋。
【請求項１０】
前記包袋がブリスターパックを含む、請求項１の折畳み密封式包袋。
【請求項１１】
インク層が上に設けられた紙とフィルム部分の少なくとも一方が前記ブリスターパックに形成され、前記インク層がレーザによる除去に適している、請求項１０の折畳み密封式包袋。
【請求項１２】
前記紙と前記フィルムの少なくとも一方に前記レーザによる前記インクの除去によって形成されたＲＳＳ／ＣＳバーコードを更に含む、請求項１０の折畳み密封式包袋。
【請求項１２】
複数の折畳み密封式包袋の第１の包袋が、前記ストリップの残りの折畳み密封式包袋に関する情報を含む、請求項１の折畳み密封式包袋。
【請求項１３】
分離可能タブ部分を更に含む、請求項１の折畳み密封式包袋。
【請求項１４】
前記分離可能タブ部分が、ＲＳＳ／ＣＳバーコードのＣＳ部分とＲＳＳ／ＣＳバーコードの直線部分の一部とを含み、前記タブ部分に隣接する前記折畳み密封式包袋の部分が、略同一な別のＣＳ部分と直線部分の別の部分とを含む、請求項１３の折畳み密封式包袋。
【請求項１５】
前記分離可能タブは、分離された時に、前記タブ部分に隣接するクレームの前記折畳み密封式包袋の部分に前記ＲＳＳ／ＣＳバーコードのコピーを含む、請求項１４の折畳み密封式包袋。
【請求項１６】
前記折畳み密封式包袋の前記内容物を人が確認するための少なくとも部分的に透明な窓を更に含む、請求項１の折畳み密封式包袋。
【請求項１７】
折畳み密封式包袋のロール紙に成形された複数の折畳み密封式包袋を含む、請求項１の折畳み密封式包袋。
【請求項１８】
前記折畳み密封式包袋に印刷される少なくとも一つの形状を更に含み、該形状が、前記折畳み密封式包袋の前記内容物と前記折畳み密封式包袋を受け取る人のうち少なくとも一方に関する情報を表す、請求項１の折畳み密封式包袋。
【請求項１９】
前記少なくとも一つの形状が、多角形、バー、円の少なくとも一つとして形成される、請求項１８の折畳み密封式包袋。
【請求項２０】
前記情報が、服用量、使用頻度、服用時刻、前記折畳み密封式包袋の前記内容物に関する警告のうち少なくとも一つに関する、請求項１８の折畳み密封式包袋。
【請求項２１】
折畳み密封式包袋を製造するための方法であって、
患者情報が少なくとも患者を表す電子的な患者情報をデータベースに記憶すること、
前記データベースと他のデータベースのうち少なくとも一方に、複数の薬剤の少なくとも一つに関する情報を表す電子的な薬剤情報を記憶すること、
前記電子患者情報と前記電子薬剤情報のうち少なくとも一方を患者介護者に提供すること、
前記患者介護者から、前記患者のための薬剤に関する指示を含む電子的な指示を受け取ること、
前記折畳み密封式包袋に少なくともバーコードを印刷すること、
前記折畳み密封式包袋に少なくとも一つの薬剤を投入すること、および、
前記包袋が前記少なくとも一つの薬剤の容器となるように、前記折畳み密封式包袋の折畳みと密封とを行うこと、
を含む方法。
【請求項２２】
少なくとも一つのインターネットウェブページを参照して前記少なくとも一つの薬剤に関する情報を発見することを更に含む、請求項２１の方法。
【請求項２３】
電子的な指示を受け取る前記段階が、携帯情報端末から電子的に送られた情報を受け取ることを含む、請求項２１の方法。
【請求項２４】
人が読める情報を前記折畳み密封式包袋に印刷することを更に含む、請求項２１の方法。
【請求項２５】
前記人が読める情報が、薬剤警告、薬回収情報、バッチ番号、ロット番号、患者情報、薬剤充填日、薬剤量、服用量、使用説明書のうち少なくとも一つを含む、請求項２４の方法。
【請求項２６】
患者に薬剤を投与するための方法であって、
前記患者のための薬剤に関する情報を表す、介護者の指示を電子的に受け取ること、
折畳み密封式包袋を印刷すること、
前記折畳み密封式包袋を折り畳むこと、
前記折畳み密封式包袋に少なくとも一つの薬剤を投入すること、
前記折畳み密封式包袋を密封式すること、および、
前記少なくとも一つの薬剤を含む前記折畳み密封式包袋を前記患者に分配すること、
を含む方法。
【請求項２７】
前記薬剤を分配する前記段階が、
前記患者が着用するリストバンドのバーコードイメージを読み取ってリストバンド情報を抽出すること、
前記折畳み密封式包袋のバーコードイメージを読み取って、前記折畳み密封式包袋の内容物を表す内容物情報を抽出すること、
前記リストバンド情報を前記内容物情報と比較すること、および、
前記リストバンド情報が前記内容物情報と対応することを確認した後で、前記薬剤を含む前記折畳み密封式包袋を前記患者に提供すること、
を更に含む、請求項２６の方法。
【請求項２８】
前記直線部分のバーが、前記折畳み密封式包袋から前記分離可能タブ部分まで連続的に延在する、請求項１４の方法。
【発明の詳細な説明】
【背景技術】
【０００１】
本発明は、２００２年４月１７日に出願された“ＳＥＡＬＡＢＬＥ  ＩＮＤＩＶＩＤＵＡＬ  ＢＡＲ  ＣＯＤＥＤ  ＰＡＣＫＥＴＳ”（密封式個別バーコード包袋）という名称の米国仮特許出願番号第６０／３７３，７４０号と、２００２年６月１９日に出願された“ＳＥＡＬＡＢＬＥ  ＩＮＤＩＶＩＤＵＡＬ  ＢＡＲ  ＣＯＤＥＤ  ＰＡＣＫＥＴＳ  ＷＩＴＨ  ＥＸＴＥＮＤＥＤ  ＧＲＡＰＨＩＣＳ”（拡張グラフィックを備える密封式個別バーコード包袋）という名称の米国仮特許出願番号第６０／３９０，２５４号と、２００２年６月２５日に出願された“ＳＹＳＴＥＭ  ＡＮＤ  ＭＥＴＨＯＤ  ＦＯＲ  ＢＡＲ  ＣＯＤＩＮＧ  ＢＬＩＳＴＥＲ  ＰＡＣＫ  ＰＡＣＫＡＧＩＮＧ”（ブリスターパック包装にバーコードを形成するためのシステムと方法）という名称の米国仮特許出願番号第６０／３９２，０６０号と、２００１年１２月１７日に出願された“ＭＯＤＩＦＩＥＤ  ＢＡＲ  ＣＯＤＥ  ＳＵＢＳＴＩＴＵＴＩＮＧ  ＦＯＲ  ＤＯＵＢＬＥ  ＢＡＲ  ＣＯＤＥＤ  ＬＡＢＥＬ”（二重バーコードラベルに代わる変形バーコード）という名称の米国仮特許出願番号第６０／３４１，７６３号の優先権を主張する、２００２年１２月１７日に出願された“ＭＯＤＩＦＩＥＤ  ＢＡＲ  ＣＯＤＥ  ＳＵＢＳＴＩＴＵＴＩＮＧ  ＦＯＲ  ＤＯＵＢＬＥ  ＢＡＲ  ＣＯＤＥＤ  ＬＡＢＥＬ”（二重バーコードラベルに代わる変形バーコード）という名称のＰＣＴ特許出願番号第ＰＣＴ／ＵＳ０２／４１号とに基づくとともにその優先権を主張し、これらすべての内容が参考としてここに取り入れられる。
【０００２】
先行技術では、薬剤はプラスチックビン、ボトル、包袋などの容器で配布される。これらの容器は潜在的に製造に費用がかかり、またかなりの無駄が生じる。さらに、病院や個人病院、外来治療施設、外来患者施設環境、他の患者治療施設（ここでは集合的に「患者治療施設」と呼ぶ）では、錠剤の形の薬剤を１回ずつの供給には、一般的に、プラスチックカップに投入され、錠剤が後で服用される。一般的に、患者及び例えば錠剤の形の薬剤に関する情報を含む紙片がカップに含められる。薬剤が服用された後、紙片および／またはラベルは、病院または他の医療関連施設内での患者のカルテに貼付される。
【０００３】
従来技術ではまた、患者治療施設に付属する薬局が、例えば月に一度の投薬で、ブリスターパックの形の薬剤を患者に用意する。回診の際には一般的に、看護師が患者の部屋に来て、患者がいることを確かめる。患者のカルテが参考にされ、薬剤および／または患者の処置が書き留められ、その準備が行われる。錠剤がブリスターパックから取り出され、紙コップに入れられて患者に投与される。
【０００４】
図１は、上述した従来技術による薬剤分配プロセスがいかに混乱を招き、結果的にミスを起こすかという例を示す。図示されているように、病院の薬剤部などの薬局が薬剤をブリスターパックで用意する。ブリスターパックの薬が各階に分配された後、看護師または患者の介護者が薬剤をブリスターパック包装から分離し、各患者の服用量を用意する。薬剤が元の薬局包装から取り出されて、看護師または介護者によって選択され、患者に渡される際には、ミスの可能性が高い。一般的なミスには、患者、薬剤、服用量、時間の間違いが含まれる。
【０００５】
一般的にバーコードは、各物品と、幾つかの物品を収容する容器に印刷される。バーコードは、バーと様々な幅のスペースに符号化され、所定のパターンに配列された情報を含む。バーコード読取装置（例えばレーザスキャナ）によってバーコードが走査されるとき、通常は、走査ビームが水平面においてバーとスペースを横切るか、あるいは、ラスターされる、つまり全方向に走査される。プリンタ、スキャナ、デコーダを含むバーコード技術は、光学的に読み取られるデータを符号化する記号体系（つまりバーコード言語）を含み、こうして、記号体系の視覚的イメージを捕捉し、コンピュータ互換性デジタルデータにこれを変換する機械読取可能な記号を作成する。バーコードが形成されるラベルのサイズは、一部は使用されるコード化のタイプによって、一部は個々のバーとスペースのサイズによって、またデータマトリックスまたは合成記号体系によって決定される。バーコードに符号化される情報の量は、バーコードのサイズ制限により制約される。
【０００６】
多様なバーコード記号体系が存在する。各記号体系は、キャラクタ（例えば文字、数字、句読点）の符号化、エラー検査、印刷、復号化の要件のための独自の規則の集合を持つ。様々なバーコード記号体系は、データを表す方法と符号化できるデータのタイプが異なる。数字の符号化のみを行うものもあれば、数字と文字と幾つかの句読点キャラクタを符号化するものもあり、また１２８キャラクタと２５６キャラクタものＡＳＣＩＩキャラクタ
集合を符号化するものもある。最新の記号体系は、多数の言語を符号化し、特殊なまたは付加的なデータについてユーザが規定した符号化を行うというオプションを含む。これらの新しい記号体系では、記号がダメージを受けた場合に、慎重な冗長（リダンダンシー）によってデータの再構築が可能である。
【０００７】
従来のバーコード記号は「一次元」である。つまりバーとスペースとが単一の方向のみに延在している。一次元バーコードでは、そこに符号化されるデータの量が制限される。従来のバーコード記号よりも多くの情報をバーコードが含む必要性が、徐々に高くなってきた。この必要性を受けて、省スペース記号体系（ＲＳＳ）と合成記号体系（ＣＳ）のバーコードが開発されている。ＲＳＳバーコードは一方向に延在する一次元のものである。通常はバーコードとともに印刷される基本の短い識別子を超える付加的データを符号化する能力その他を持つ、積重ね、限定、拡張を含めたＲＳＳの幾つかの変形が存在する。第２の記号体系であるＣＳは、直接上に印刷された二次元記号と対になるか、場合によってはこれと論理的にリンクした一次元記号で構成される。合成二次元記号は当該技術では、ＰＤＦ４１７記号、またはＭＩＣＲＯ  ＰＤＦ  ４１７のＵＣＣ／ＥＡＮ‐１２８の特定変形として知られる。ＭＩＣＲＯ  ＰＤＦ  ４１７は、小さな物品のマーキング用に考案されたＰＤＦ４１７の一つのバージョンである。現在、ＲＳＳ／ＣＳバーコードは、５６キャラクタから２，３６１キャラクタに及ぶデータ容量を持つものとして定義されている。データ容量は時間とともに増大する。
【０００８】
ＲＳＳ／ＣＳバーコードは、ある値、例えばＵＰＣアイテム数が一次元バーコードから抽出された後で、外部コンピュータデータベースが参照される必要性を効果的に置き換えるものである。ＲＳＳ／ＣＳバーコードの開発より以前は、単一次元バーコードから値が抽出された後で、抽出された値と関連する詳細を提供するためにデータがコンピュータデータベースで参照される。対照的に、ＲＳＳ／ＣＳバーコードは、付随するデータベースに以前に記憶された関連データの多くを含む。ＲＳＳ／ＣＳバーコードは、本質的にデータベースそのものである。
【発明の開示】
【課題を解決するための手段】
【０００９】
本発明は、折畳みの箇所を規定するため包袋に刻印された折畳み点線と、包袋が折畳み点線で折り畳まれた後で包袋の形状を維持するための密封剤と、少なくとも包袋の内容物に関する情報を含む、ＲＳＳ／ＣＳバーコードなどのバーコードとを含む、折畳み密封式包袋を提供する。包袋は、折り畳まれて部分的に密封された後、内容物を収容するための容器となるように成形される。
【００１０】
折畳み密封式包袋の他の特徴には、薬剤を包袋に保管することが含まれ、薬剤には、カプセル、錠剤、ジェルキャップ、溶解ストリップ、キャプレッツが含まれる。さらに、折畳み密封式包袋には、人が読める情報が印刷されている。そのうえ、人が読める情報は、包袋を受け取る予定の患者、包袋の内容物、および／または包袋を開封するための指示に関するものである。
【００１１】
さらに、折畳み密封式包袋は、包袋の内容物を表すイメージを含む。また、折畳み密封式包袋はポリコート部分をさらに含む。折畳み密封式包袋はまた、折畳み密封式包袋のストリップから個々の折畳み密封式包袋を分離するための切取り点線部分を含む。
【００１２】
一例において、折畳み密封式包袋は、ブリスターパックとして形成され、ブリスターパックには、インク層が上に設けられた紙とフィルム部分の少なくとも一方が形成され、インク層はレーザによる除去に適している。さらに、レーザによるインクの除去によって、紙とフィルムの少なくとも一方にＲＳＳ／ＣＳバーコードが形成される。
【００１３】
さらに、折畳み密封式包袋は、複数の折畳み密封式包袋として形成され、第１の包袋は、ストリップの残りの折畳み密封式包袋に関する情報を含む。
【００１４】
さらに、折畳み密封式包袋は、分離可能タブ部分を含む。分離可能タブ部分は、ＲＳＳ／ＣＳバーコードのＣＳ部分と、ＲＳＳ／ＣＳバーコードのＲＳＳ部分とを含み、タブ部分に隣接した折畳み密封式包袋の部分は、同一のＣＳ部分と、ＲＳＳ部分の一部とを含む。分離されると、分離可能タブは、タブ部分に隣接する折畳み密封式包袋の部分にあったＲＳＳ／ＣＳバーコードの完全なコピーを含む。
【００１５】
また、折畳み密封式包袋はさらに、折畳み密封式包袋の内容物を人が見ることができるようにするための少なくとも部分的に透明な窓を含む。
【００１６】
そのうえ、折畳み密封式包袋はさらに、折畳み密封式包袋に印刷された少なくとも一つの形状を含み、この形状は、折畳み密封式包袋の内容物と、折畳み密封式包袋を受け取る人のうち少なくとも一方に関する情報を表す。少なくとも一つの形状は、多角形、バー、円のうち少なくとも一つとして形成される。
【００１７】
前記形状によって表される情報は、服用量、使用頻度、服用時刻、折畳み密封式包袋の内容物に関する警告のうちの少なくとも一つに関する。
【００１８】
本発明はさらに、折畳み密封式包袋を製造する方法に関し、電子的な患者情報をデータベースに記憶することと、複数の調剤の少なくとも一つに関する電子調剤情報を記憶することと、電子的な患者情報と電子的な薬剤情報の少なくとも一方を患者介護者に提供することと、患者の薬剤に関する情報を含む電子的な指示を患者介護者から受け取ることと、折畳み密封式包袋に少なくともバーコードを印刷することと、少なくとも一つの薬剤を折畳み密封式包袋に投入することと、包袋が少なくとも一つの薬剤の容器となるように折畳み密封式包袋を折り畳んで密封することとを含む。
【００１９】
本発明はさらに、少なくとも一つの薬剤に関する情報を発見するために、少なくとも一つのインターネットウェブページを参照することと、折畳み密封式包袋に関する、人が読める情報を印刷することとを含む。人が読める情報は、少なくとも一つの薬剤警告と薬品回収情報とバッチ番号とロット番号と患者情報と薬剤充填日と薬剤の量と服用量と使用説明書とを含む。
【００２０】
本発明はさらに、患者のための薬剤に関する情報を表す介護者指示を電子的に受け取ることと、折畳み密封式包袋を印刷することと、折畳み密封式包袋を折り畳むことと、折畳み密封式包袋に少なくとも一つの薬剤を投入することと、折畳み密封式包袋を密封することと、少なくとも一つの薬剤を含む折畳み密封式包袋を患者に分配することとを含む、患者に薬剤を投与するための方法に関する。薬剤を分配する段階はさらに、患者が着用するリストバンドのバーコードイメージを読み取ってリストバンド情報を抽出することと、折畳み密封式包袋のバーコードイメージを読み取って折畳み密封式包袋の内容物を表す内容物情報を抽出することと、リストバンド情報を内容物情報と比較することと、リストバンド情報が内容物情報に対応することを確認した後で、薬剤を含む折畳み密封式包袋を患者に提供することとを含む。
【００２１】
他の特徴と利点は、以下に提示される。
【発明を実施するための最良の形態】
【００２２】
本発明は、薬剤の分配を改良するためのシステムと方法に関連する。本発明によれば、薬剤の分配に関連する情報を受け取って処理するための複数のコンピュータ関連ハードウェア及びソフトウェアアプリケーションが提供される。さらに、ラベルそのものが一つ以上の錠剤形状の薬剤のための容器となるように折り畳まれ、糊付けその他で成形される密封可能なバーコードラベルを設けることに関連する。
【００２３】
同様の参照符号が同様の要素を指す図面を参照すると、密封可能な個別バーコード包袋を製造するための、全体としてシステム１０と記されたハードウェア構成を含む第一の実施例が図２に図示されている。システム１０は、少なくとも１台の情報プロセッサ１２と、各々が通信ネットワーク１６に結合された少なくとも１台のユーザ端末１４とを含むことが望ましい。情報プロセッサ１２は、本発明をサポートするのに必要なすべてのデータベースを含むことが望ましい。しかし情報プロセッサ１２は、通信ネットワーク１６、または情報プロセッサ１２が結合された他の通信ネットワークを介して、必要ないかなるデータベースにもアクセスできることが考えられる。通信ネットワーク１６は、インターネットなどの世界規模の公的通信ネットワークであることが望ましいが、ワイドエリアネットワーク（ＷＡＮ）、ローカルエリアネットワーク（ＬＡＮ）、２台以上のコンピュータが相互に通信できる他のネットワークであってもよい。
【００２４】
好適な実施例では、情報プロセッサ１２とユーザ端末１４は、通信ネットワーク１６を介してデータを送受信できる装置、たとえば大型コンピュータ、小型コンピュータ、パーソナルコンピュータ、ラップトップコンピュータ、携帯情報端末（ＰＤＡ）、ウェブＴＶなどのインターネットアクセス装置である。そのうえユーザ端末１４は、ＭＩＣＲＯＳＯＦＴ  ＩＮＴＥＲＮＥＴ  ＥＸＰＬＯＲＥＲ，ＮＥＴＳＣＡＰＥ  ＮＡＶＩＧＡＴＯＲなどのウェブブラウザを備えることが望ましい。情報プロセッサ１２とユーザ端末１４とは、周知のデータ通信ネットワーク接続技術を用いて通信ネットワーク１６に結合される。
【００２５】
また、図１に見られるように、プリンタ１８が、密封可能な個別バーコード包袋の製造に使用されることが望ましく、感熱プリンタ、レーザプリンタ、インパクトプリンタなどを含む様々なプリンタタイプがある。プリンタ１８は、大量印刷に少なくとも部分的に使用されることが望ましい。言い換えると、プリンタ１８は、バーコードを含めた数千、さらに数百万ものラベルを一日で印刷し得る。
【００２６】
本発明によれば、プリンタ１８は、薬剤に使用される密封可能な個別バーコード包袋２０を製造する。ここで使用される薬剤という用語は、患者によって服用され得る薬を一般的に指す。例えば薬剤は、錠剤、カプセル、キャプレッツ、ジェルキャップ、その他のタイプの経口服用される薬を含む。
【００２７】
図３に見られるように、各情報プロセッサ１２の機能的要素は、ソフトウェアコードの実行と情報プロセッサ１２の動作の制御に使用される１台以上の中央処理装置（ＣＰＵ）２２と、リード・オンリ・メモリ（ＲＯＭ）２４と、ランダム・アクセス・メモリ（ＲＡＭ）２６と、通信ネットワークを介して他の計算装置とデータを送受信するための１台以上のネットワークインタフェース２８と、プログラムコード、データとデータベースとアプリケーションデータとを記憶するためのハードディスクドライブ、フロッピー（登録商標）ディスクドライブ、テープドライブ、ＣＤ ＲＯＭ、ＤＶＤなどの記憶装置３０と、キーボード、マウス、トラックボール、マイクロフォンなどの１台以上の入力装置３２と、ディスプレイ３４とを含む。
【００２８】
情報プロセッサ１２の様々な部品は、同じフレーム内に物理的に収容される必要はなく、一つの場所に配置される必要さえない。例えば、記憶装置３０は情報プロセッサ１２の残りの要素から離れた場所に配置されてもよく、またネットワークインタフェース２８を介した通信ネットワーク１６を通じてＣＰＵ２２に接続されてもよい。情報プロセッサ１２は、必要なデータベースとフォーラムと他のコミュニティサービスを提供するのに充分な記憶情報量を備えるだけでなく、ハイパーテキストマークアップランゲージ（ＨＴＭＬ）、ジャヴァ（Ｊａｖａ（登録商標））アプレット、アクティブＸ制御プログラムなどをユーザ端末１４に通信するためのウェブサーバとしても機能する。情報プロセッサ１２は、予想される情報プロセッサ１２の動作環境に適した、例えば図３に示されたようなコンポーネントで構成されることが望ましい。ＣＰＵ２２とネットワークインタフェース２８とメモリおよび記憶装置とは、予想されるデマンドに対応するように容量が調節されるのを確実にするように選択される。
【００２９】
ここで使用される「リンク」という用語は、ウェブブラウザ内で選択可能な接続が提示される、一つ以上のワード、ピクチャ、他の情報オブジェクトから他のものへの選択可能な接続を指す。情報オブジェクトは、音声および／または動画を含む。選択は一般的に、マウス、トラックボール、タッチスクリーンなどの入力装置を用いて、リンク上で「クリック」することにより行われる。言うまでもなく、当業者は、スクリーンに示されたオブジェクトを選択できるいかなる方法でも充分であることを理解するだろう。
【００３０】
図３に示された機能的要素（参照番号２２〜３４で指定）は、ユーザ端末１４に存在する機能的要素と同じカテゴリにある。しかしすべての要素が存在する必要はなく、例えば、ＰＤＡの場合の記憶装置と、様々な要素の容量は予想されるユーザデマンドに対処するように構成される。例えばユーザ端末１４のＣＰＵ２２は、情報プロセッサ１２に存在するＣＰＵよりも少ない容量のＣＰＵであってもよい。同様に、情報プロセッサ１２がユーザ端末１４に存在する記憶装置よりもはるかに高い容量の記憶装置を含むことがあり得る。
【００３１】
言うまでもなく、当業者は、機能的要素の能力を必要に応じて調整できることを理解するだろう。本発明の性質は、コンピュータ実行可能コード（つまりソフトウェア）書込み技術の熟練者が、一般的なコンピュータプログラミング言語と、Ｃ＋＋、ビジュアルベーシック（Ｖｉｓｕａｌ  Ｂａｓｉｃ）、ジャヴァ（Ｊａｖａ（登録商標））、ＨＴＭＬ、ウェブアプリケーション開発用のアプリケーションを含むがこれらには限定されない開発環境との組合せの一つ以上を用いて、記載された機能を実行できるようなものである。
【００３２】
周知の通信・表示方法を用いて、例えば、インターネットパケットエクスチェンジャ（ＩＰＸ）、ダイヤルアップ、サードパーティ、プライベートネットワーク、付加価値ネットワーク（ＶＡＮ）などのローカルエリアネットワークプロトコルと結合された非インターネットブラウザビュワーを用いて、ユーザ端末１４が情報プロセッサ１２と通信するとともに、そこから受け取られたデータを表示するようにシステム１０が構成されることが考えられる。
【００３３】
例えば、ＤＯＳ、ＷＩＮＤＯＷＳ（登録商標） ３．ｘ、ＷＩＮＤＯＷＳ（登録商標） ９５、ＷＩＮＤＯＷＳ（登録商標） ９８、ＷＩＮＤＯＷＳ（登録商標） ＮＴ、ＷＩＮＤＯＷＳ（登録商標） ２０００、ＷＩＮＤＯＷＳ（登録商標） ＭＥ、ＷＩＮＤＯＷＳ（登録商標） ＣＥ、ＰＯＣＫＥＴ ＰＣ、ＷＩＮＤＯＷＳ（登録商標） ＸＰ、ＭＡＣ ＯＳ、ＵＮＩＸ（登録商標）、ＬＩＮＵＸ、ＰＡＬＭ ＯＳ、その他適当なオペレーティングシステムが情報プロセッサ１２とユーザ端末１４とで使用できることが考えられる。
【００３４】
ここで使用される、ユーザ端末１４にデータを表示するという表現は、通信ネットワーク１６を介して端末にデータを通信し、例えばウェブブラウザなどを用いることによってディスプレイ３４でデータが見えるようにデータを処理することを指す。ウェブブラウジングソフトウェアと共通して、ユーザが所望のリンクを選択することによりシステム内のサイトからサイトへ進むことができるように、ユーザ端末１４のディスプレイスクリーンはシステム１０内のサイトを提示する。そのため、システム１０に関する各ユーザの経験は、ディスプレイスクリーンを介して進んだ順序に基づく。データプロセスを開始するため、そしてディスプレイスクリーンとシステム１０のモジュールとの間に便利なナビゲーションを設けるために、ディスプレイスクリーンとモジュールではグラフィック制御が利用可能であることが望ましい。言い換えると、ディスプレイスクリーンの構成ではシステムは完全に階層的ではないため、ユーザは、一連のディスプレイスクリーンを通して「バックトラック」する必要なくエリアからエリアへ進める。そのため、他の表記がなければ、以下の説明は連続オペレーション段階を表す意図はなく、むしろシステム１０の各コンポーネントを示すものである。
密封式個別バーコードラベルの形
【００３５】
図４は、折り畳まれて薬剤が入れられ、運搬のために密封される前の、密封式個別バーコード包袋２０の例を示す。図４に示された密封式個別バーコード包袋２０の例は、折畳みおよび／または密封プロセスが行われる箇所を示す箇所を規定する折畳み点線３６を含む。さらに、密封式個別バーコード包袋２０は、連続的な密封式個別バーコード包袋２０のストリップにおいて一つの密封式個別バーコード包袋が終了して次の包袋が開始するところを規定する切取り点線３８を含む。図５Ａと５Ｂは、折畳みと密封が行われた後の、密封式個別バーコード包袋２０の例の前と後をそれぞれ示す。
【００３６】
図６Ａ、６Ｂ、６Ｃは、折畳みと密封のプロセスが行われる際の密封式個別バーコード包袋２０を示す。密封式個別バーコード包袋２０ラベルは、ラベルを個別包袋に成形するための乾式接着剤または他の密封剤の部分４０を含む（図６Ａ参照）ことが望ましい。薬剤を含有することが望ましい密封式個別バーコード包袋２０の折畳みおよび／または密封を行うための付属装置をプリンタ１８（図１）が備えることが望ましい。さらに図６Ａに見られるように、密封式個別バーコード包袋２０では、接着剤または他の密封剤部分が周縁に設けられ、ポリコート部分４２が密封式個別バーコード包袋２０の中央付近に設けられる。ポリコートには薬剤が良好に保持されるため、密封式個別バーコード包袋２０ではポリコートが好適な材料である。
【００３７】
密封式個別バーコード包袋２０は、複数の形で利用可能である。図７は、予め印刷されたラベルの単一ロール紙として設けられて感熱バーコードプリンタを通過するのに適した複数の密封式個別バーコード包袋２０を示す。各密封式個別バーコード包袋２０は、人が紙から個別ラベルを点線で切り取ることのできる紙の所定箇所の切取り点線３８の間に画定される。
【００３８】
図８に示された別の実施例では、アコーディオン／扇形状に複数のラベルが印刷されている。各ラベルは、隣接ラベルを分離する所定の点線３８で、扇形状から切り取られることが望ましい。プリンタは、ラベルが印刷された後でラベルをアコーディオン／扇形状に折り畳むための補助装置を備える。これによって人は、複数の密封式個別バーコード包袋２０を一緒にアコーディオン／扇形状で受け取ることができる。
【００３９】
図８に示されたように好適な実施例では、印刷された複数の密封式個別バーコード包袋２０を含むストリップの最初の密封式個別バーコード包袋２０は、ストリップに含まれる残りの密封式個別バーコード包袋２０に関する情報を提供する。例えば、マーカとして機能する第１の包袋のみが、第１の包袋と次の印刷済み密封式個別バーコード包袋２０の両方に関する情報を含む。
【００４０】
また別の実施例では、レーザ、インパクト、またはインクジェットプリンタに送られる従来の用紙に一連のラベルが形成され、用紙は、ラベルを分離してラベルの折畳みを可能にし、続いて個別包袋を形成するように接着するための点線と切込み線を備えることが望ましい。ラベルは、投入される薬剤の量とサイズに応じて、様々なサイズと形状に成形できる。
【００４１】
図９は、密封式個別バーコード包袋の代替実施例として使用できるブリスターパック包装の例を示す。図９に見られるように、ブリスターパック構造の例は、数字の付いた横列と縦列のレイアウトで穿孔された複数（例えば３０、５０、９０個）の穴を備える２枚のカード用紙４８，５６を含む。裏には、前記複数の穴を覆うための箔または紙のラミネート５２が接着される。カード用紙５６の開口部５８の穿孔穴から現れる黒インク層５４がフィルム／紙５２の表面全体を覆うように印刷されることが望ましい。
【００４２】
また表側カード用紙４８には、３０個，６０個，９０個の穴数を作るための横列と縦列の規則的パターンの穴が穿孔されることが望ましい。カード穴から突出するブリスターシートは、熱可塑性物質の真空成形シートから形成されることが望ましい。
【００４３】
ブリスターパックを使用するために、ユーザは、カード用紙５６の後穴から薬剤を取り出し、このプロセスで箔／紙５２の裏張りを破る。プラスチック製のブリスターは、この移動を可能にするために薄くて可撓性を持つことが望ましい。
【００４４】
箔／紙５２の裏に印刷される黒インク層５４は、レーザ印刷によって焼き取られて、ＲＳＳ／ＣＳバーコードと人が読める部分とを各セルユニットに残す。
【００４５】
図１０Ａ〜１０Ｅは、本発明による分類タイプのブリスターパック包装を示す。本発明は、周知のタイプのいかなるブリスターパック包装でも使用できる。
【００４６】
図１１Ａは本発明による個別ブリスターパックを示す。図１１Ｂは複数のブリスターパックを組み合わせる方法を示す。
密封式個別バーコードラベルの内容物
【００４７】
図４の密封式個別バーコード包袋の例に示されているように、密封式個別バーコード包袋２０には、ＲＳＳ／ＣＳバーコードの形と、望ましくは人が読める文字の形の両方で複数個の情報が印刷されることが望ましい。ＲＳＳ／ＣＳバーコードは、数千文字の情報を保持することが可能である。密封式個別バーコード包袋２０には、人が読める付加的な情報が印刷されることが望ましい。
【００４８】
図１２は、人が読める情報と機械が読める情報の両方が載せられた分離可能タブまたはエッジ部分６０を含む、密封式個別バーコード包袋２０の例を示す。タブが分離される時、例えば密封式個別バーコード包袋２０の点線６２に沿って切り取られる時には、処方薬情報、患者名、量、日付・時間情報などが密封式個別バーコード包袋２０から除去されるように、人が読める情報はタブ６０に設けられることが望ましい。直線部分つまりＲＳＳバーコードは、半分または部分的に密封式個別バーコード包袋２０に、そして半分または部分的に除去可能タブ６０に印刷されることが望ましい。バーコードのＣＳ部分は２倍である。つまり直線部分の半分に隣接するとともに、直線部分の別の半分にも隣接する。タブが切り取られて密封式個別バーコード包袋２０から分離された後、分離されたタブと密封式個別バーコード包袋２０の両方に、機械で読めるＲＳＳ／ＣＳバーコード全体が残る。
【００４９】
さらに、図１２に見られるように、密封式個別バーコード包袋の内容物のイメージ６４が、望ましくはカラーで印刷される。包袋が開封されて内容物が取り出される時に、包袋の内容物が対応していることを確認するため密封式個別バーコード包袋に印刷されたイメージとの比較が行えるように、例えば個別錠剤またはカプセルのイメージが包袋に印刷される。他のタイプの印刷情報、たとえば絵による情報も印刷でき、薬剤を服用する時に摂取すべきまたは回避すべき食品のタイプについての指示と、他の使用または忌避説明を含んでも良い。
【００５０】
図示されていない別の代替実施例では、ラベルの少なくとも一部には、密封式個別バーコード包袋２０の内容物を人が見るための少なくとも部分的に透明な窓が含まれる。この窓によって、密封式個別バーコード包袋２０に包含される薬剤の形状と色とを少なくとも見ることができる。
【００５１】
密封式個別バーコード包袋２０には、ＲＳＳ／ＣＳバーコードが印刷されることが望ましい。このバーコードは、患者と薬剤に関する情報を含むことが望ましい。例えば、患者の統計データ、患者の病歴、アレルギーなどがバーコードに含まれる。バッチおよびロット番号、薬品説明、世界規模の通信ネットワークで利用可能な医療データベースのホストから得られた情報を含めた薬剤に関連する情報も含まれる。さらに、ＲＳＳ／ＣＳバーコードは、他のタイプのバーコードと比較して大量の情報を含有できるので、ＲＳＳ／ＣＳバーコードの情報は、ＧＴＩＮ、ＬＯＴ  ＥＸＰＩＲＹ  ＤＡＴＥ、濃度、薬剤と患者の処方記録番号で構成されることが望ましい。また、密封式個別バーコード包袋に印刷されるのは、時間、日付、薬剤の服用に関する他の指示を含めた、患者と患者の介護者のための使用と服用についての、人が読める形の指示である。
【００５２】
さらに、予め印刷された密封式個別バーコード包袋２０が巻かれたロールは、処方を記入するか薬剤を供給する側によっても得られ、ロールはプリンタに簡単に挿入され、印刷および／または折畳みおよび／または薬剤の充填が高速で行われる（図７参照）。そのうえ、本発明では複数のサイズの包袋が利用可能であることが望ましく、こうして異なる環境に対処できる。例えば、製薬会社が本発明により個別包装された薬剤を５００個出荷することを決定し、各個別薬剤を小型の密封式個別バーコード包袋２０に投入する。あるいは、複数の薬剤を単一の密封式個別バーコード包袋２０に混入することにより、比較的大型の包袋の使用を必要とする。
【００５３】
さらに、図１３に見られるように、一つ以上の形状が印刷され、その形状が、見る人に情報と意味を与えるように選択される。例えば、異なる物を示すため、ストライプおよび／または数字を、単独または組合せで使用できる。従来の薬剤ラベルの多くでは、利用可能なスペースが非常に小さいため、情報は非常に小さなポイントサイズを用いて印刷されるか、完全に省略される。本発明では、バーの相対的サイズに基づいて、服用量、使用頻度、服用時刻などの有意義な情報を表す形状、例えば単一のバーを設けることにより、このスペースの問題を解決できる。
【００５４】
例えば、ラベルに印刷されたＲＳＳ／ＣＳバーコードの幅よりも長い単一のバーは、特定薬剤、例えばイブプロフェンの１０ｍｇの服用量を表す。ＲＳＳ／ＣＳバーコードと同じ幅を持つ、別のラベルに印刷された同様のバーは、異なる服用量、例えば２５ｍｇのイブプロフェンを表す。ＲＳＳ／ＣＳバーコードの幅の半分の単一のバーは、５０ｍｇの薬剤を表し、幅の狭い、例えばＲＳＳ／ＣＳバーコードの幅の四分の一のバーは、１００ｍｇのイブプロフェン服用量を表す。上の例では、やはり様々な服用量、時刻などを示すことができるように、例えばそれぞれ１０、２５、５０、１００といった数字と組み合わされて単一のバーを印刷できる。（１４ページ参照）。
【００５５】
本発明はまた、異なる種類の情報を表すため、異なる形状、例えば円形、方形、他の多角形を利用する。例えば、数字５が記入された小さな円は、服用量、量、月日、または医者、薬剤師、患者、薬剤に関連する他の者が必要とする他の関連情報などを表す。本発明ではさらに、他の情報を表す、異なる数字を伴った大きな円が印刷される。例えば、１０の数字が記入された若干大きな円と、１５の数字が記入された大きな円と、２０の数字が記入されたさらに大きな円は、薬剤に関連する特定情報、例えば薬剤のタイプ、錠剤ごとのミリグラム服用レベルを表す（１４ページ参照）。
【００５６】
さらに、刻印は円またはバーに限定されない。各々に数字が記入された六角形、五角形、四角形、三角形を含む多様な多角形が、複数の情報タイプ、例えば、薬剤、服用量、日付、病院の階数などを表す。このようにして、本発明を用いる人は、薬のラベルを見て三角形でなく五角形を発見することでミスを回避するので、例えば読み取りにくい手書きによって頻繁に発生し得るミスが回避可能である。例えば、三角形は六角形よりも服用量が少ないことを表してもよい。看護師、その他の健康管理者は三角形を見て、患者に間違った服用量が分配されたことを容易に確認できる。
【００５７】
単一ラベルの複数の形状は、薬に関する情報を表す。例えば、単一ラベルの単一の円は、薬が消費される月の第１週を表すのに対して、単一ラベルの３個の円は、薬が服用される月の第３週を表す。あるいは、ラベル上の形状の数は、一日当たりの服用量を示すのに使用されてもよい。このようにして、単にラベルを見てラベル上の形状の数が間違っているかを確認することによって、例えば読み取りにくい手書きによって生じるミスを回避できる。
【００５８】
ラベルにバーや他の形状を使用することは、薬のラベルに加えて多くの用途を持つ。情報をラベリングするどのような要求に対しても、ここに説明するように図形のシステムを利用できる。例えば、部品、コンポーネント、工具などに関するラベルではすべて、本発明で指示されたシステムの形状および／または数を使用することにより単純化とミスの縮小が可能である。
【００５９】
本発明の原理によれば、複数の形状と数字、例えばバー、円、多角形の使用が密封式個別バーコード包袋２０に印刷されて、ラベルを見る人に情報、例えば指示や警告を提供する。バーコードに加えて、人が読めるマーキングが一般的に設けられる。好適な実施例では、分離可能タブが形状および／または数字を含むとともに、密封式個別バーコード包袋２０には同一の形状および／または数字が印刷される。このようにして、患者のカルテや他の情報源に冗長情報が使用され、健康管理者の労力が非常に少なくなる。
密封式個別バーコードラベルのシステムと使用
【００６０】
本発明によれば、複数のハードウェアとソフトウェアのモジュールが統合されて密封式個別バーコード包袋を製造する。図１４に図示された例では、本発明のモジュールは、患者情報モジュール６４と薬剤モジュール６６と医師の指示モジュール６８と世界規模のウェブ（ワールドワイドウェブ）医療参照モジュール７０とを含む。患者情報モジュール６４は、患者または何らかの種類の医療を受ける人に関する情報を含むことが望ましい。例えば、患者情報モジュールは、患者名、住所、生年月日、他の統計データタイプの情報を含む。薬剤モジュール６６は、治療案、有効期限、個々の薬剤に関連する情報を含む複数の薬剤に関する情報を含む。医師の指示モジュール６８は、ユーザ端末１４を介して医師から情報を受け取ることが望ましい。例えば、医師が患者と接している間に、携帯コンピュータに指示を入力して、この指示を医師の指示モジュール６８に送る。さらに、世界規模のウェブ医療参照モジュール７０が本発明の好適な実施例に含まれる。モジュール７０は、例えば医療に関する複数の情報を含む、インターネットによって利用可能な複数の世界規模ウェブページを含む。
【００６１】
医師から受け取った指示がサーバシステムへ送信され、このシステムが指示を処理し、印刷装置に指示を送って密封式個別バーコード包袋を製造することが望ましい。好適な実施例では、医師または患者のところにいる介護者が携帯装置、例えば携帯情報端末（ＰＤＡ）をユーザ端末１４として用いて、患者の薬剤に関する情報と指示を携帯装置に入力し、携帯装置から受け取る。その後、携帯装置に入力された情報が、通信ネットワークを介して赤外線ポートから受信装置、例えばパーソナルコンピュータに送信される。パーソナルコンピュータの情報は、サーバシステムへ送信され、密封式個別バーコード包袋２０の印刷の指示に使用される。
【００６２】
通信ネットワークで現在利用可能な複数のデータベースがアクセスされ、特定の患者および／または薬剤に関連する情報が電子的に記憶され、検索されて、密封式個別バーコードラベル２０の印刷に含まれる。例えば、薬剤のバッチおよびロット番号、潜在的な危険性を持つ他の薬剤との組合せに関する警告、薬品回収情報などが、複数のデータベースから検索される。これら複数の情報源から収集された情報は編集されて、人が読める形と機械が読める形のうち少なくとも一方でラベルに印刷される。他の情報、例えば医師から受け取った特殊な注文も送信され、密封式個別バーコードラベルに印刷されることが望ましい。
【００６３】
そのうえ、密封式個別バーコード包袋を製造する一つ以上のソフトウェアモジュールも、一つ以上の規則にしたがって密封式個別バーコード包袋を印刷する少なくとも１台の印刷装置に指示を送る。例えば、単一の患者に関する一連の包袋を印刷できる。この例では、一週間分の薬剤に当たる密封式個別バーコード包袋が単一の印刷作業で印刷され、包袋に適切な薬剤が充填され、特定の包袋が患者に届けられる。あるいは、印刷作業は単一の薬剤についての複数の密封式個別バーコード包袋を印刷するものであってもよい。この例に加えて、同じ包袋が何回も製造され、人はただ、薬剤を含有する密封式個別バーコード包袋を切り取って、薬剤を含む包袋を適切な当事者へ届けるだけでよい。
【００６４】
医師または介護者が患者のために薬剤を処方した後、情報がサーバシステムへ送信され、サーバシステムまたは他のコンピュータシステムは、密封式個別バーコード包袋２０を印刷し、薬剤を包袋に分配し、そして最終的に包袋を密封する。このように、処方を実施するのに必要な人間の介入はわずかである。
【００６５】
薬剤を分配する段階において、介護者は、スキャナ、ワンド、他の装置などのバーコード読取装置を使用して患者のリストバンドのコンテンツを読み取ることが望ましい。その後、密封式個別バーコード包袋２０に印刷されたバーコードが読み取られ、介護者が対応している患者が間違っていないかと、薬剤が医師の指示に合っているかを確かめるため、比較が行われる。さらに、密封式個別バーコード包袋２０の分配に先立って、患者記録が電子的に更新される。薬が間違っていないかを確かめるため、患者の記録との比較がさらに行われる。さらに、包袋２０の内容物が包袋に印刷された内容物を表すイメージと合っているかを判断するため、介護者は密封式個別バーコード包袋２０を目で点検する。電子的かつ視覚的な確認が行われた後に患者が薬剤を受け取ることが望ましい。
【００６６】
好適な実施例では、患者はバーコードリストバンドを着用することが望ましい。一般的に一つのブリスターパックにつき３０個、６０個、あるいは９０個あるブリスターパックセルには、個別にバーコードが形成され、順に番号が付けられる。介護者が薬剤を投与する時には、患者リストバンド、日付、時間、薬剤、服用量、回診中に発生するかもしれない他のできごとを記録する電子的な監視データベースにすべての情報が入力される。
【００６７】
図１５は、本発明による密封式個別バーコード包袋２０の製造と分配に関連する幾つかの段階を特定するフローチャートである。この例についてさらに述べると、医師が患者と対面する（段階Ｓ１００）。医師が患者を診断して、付随する指示とともに処方を携帯情報端末（ＰＤＡ）に入力し、赤外線ポートを介してこの指示をコンピュータシステムに送信する（段階Ｓ１０２）。段階Ｓ１０４では、指示が受け取られて処理される。例えば、密封式個別バーコード包袋２０の製造を開始するように、指示がフォーマットされる。段階Ｓ１０６では、密封式個別バーコード包袋２０の製造を進める前に、指示がチェックされる。例えば、薬剤が回収されているかもしれず、指示チェックでこのような情報を発見して医師に報告する。段階Ｓ１０８では、密封式個別バーコード包袋２０の製造が行われる。内容物の詳細と、密封式個別バーコード包袋の印刷、折畳み、密封についてはすでに説明した。最後に段階Ｓ１１０で、密封式個別バーコード包袋２０が分配される。この例についてさらに説明すると、複数の薬剤、例えば一週間分の薬剤が注文され、人が包袋に触れずに包袋に充填することができる。
【００６８】
本発明は、先行技術に対して多くの長所を持つ。例えば、薬剤は、安価で使い捨ておよび／またはリサイクル可能な包袋に密封される。これにより、製造と後の処分の際に環境を汚染する可能性のある、より高価なプラスチック製のビンを製造する必要がなくなる。さらに、別々の容器、例えばビンにラベルを貼付するのに別々のラベルを貼付する段階が不要であり、ゆえに作業者の時間を節約し、ミスを起こす可能性のある人による段階を無くす。
【００６９】
そのうえ、複数の密封式個別バーコード包袋２０を単一のシート、巻取り紙、ロールで製造できることにより、生産性を高めてコストを削減する。そのうえ、世界規模の通信ネットワークによって薬データベースにアクセスするための多くのインタフェースが、本発明により統合されて医師と患者に提示される情報量を増大させる。正しくマークされ、個別包装されたバーコード薬剤によって、薬剤は密封状態に維持され、コンピュータシステムが可能にするチェックと安全対策のすべてを含む自動健康管理配達システムによって配達される。
【００７０】
本発明の他の長所は、効率性、人の介入によって生じるミスの減少、コスト削減、効率性の向上を含む。
【００７１】
特定の実施例に関連して本発明を説明したが、当業者には、他の変形や変更と他の使用が明らかであろう。例えば、密封式個別バーコード包袋２０は、ねじ、ナット、ボルトなどの金具類に使用されることが可能である。さらに、何らかの組立を必要とする物品に含まれる小さな部品が、密封式個別バーコード包袋２０に収納されてもよい。
【００７２】
そのため、本発明は特定の開示内容に限定されない。
【００７３】
本発明を例示することを目的として、現時点で好適である形態が図面に図示されたが、図示された構成と手段そのものに本発明が限定されないことは言うまでもない。本発明の特徴と長所は、添付図面を参照した本発明の実施例についての以下の説明から明らかになるだろう。
【図面の簡単な説明】
【００７４】
【図１】先行技術の薬品分配システムで一般的に発生する混乱を示す。
【図２】本発明によるハードウェアの実施例を示す。
【図３】本発明による情報プロセッサとユーザ端末のサンプル部品を示す。
【図４】本発明による密封式個別バーコード包袋を示す。
【図５Ａ】折畳みと密封が行われた後の密封式個別バーコード包袋を示す。
【図５Ｂ】折畳みと密封が行われた後の密封式個別バーコード包袋を示す。
【図６Ａ】折畳みと密封のプロセス中での密封式個別バーコード包袋の例を示す。
【図６Ｂ】折畳みと密封のプロセス中での密封式個別バーコード包袋の例を示す。
【図６Ｃ】折畳みと密封のプロセス中での密封式個別バーコード包袋の例を示す。
【図７】密封式個別バーコード包袋のロール紙の例を示す。
【図８】アコーディオン形状に折り畳むことのできる密封式個別バーコード包袋ストリップの例を示す。
【図９】本発明により使用されるブリスターパック包装の例を示す。
【図１０Ａ】本発明により利用可能なブリスターパック包装の集合体を示す。
【図１０Ｂ】本発明により利用可能なブリスターパック包装の集合体を示す。
【図１０Ｃ】本発明により利用可能なブリスターパック包装の集合体を示す。
【図１０Ｄ】本発明により利用可能なブリスターパック包装の集合体を示す。
【図１０Ｅ】本発明により利用可能なブリスターパック包装の集合体を示す。
【図１１Ａ】本発明の実施例による個別ブリスターパックを示す。
【図１１Ｂ】本発明により組み合わされた複数のブリスターパックを示す。
【図１２】分離可能タブ部分を有する密封式個別バーコード包袋の例を示す。
【図１３】本発明によりラベルに印刷される複数の形状を示す。
【図１４】本発明により使用される複数のソフトウェア制御モジュールを示す。
【図１５】本発明に関連するサンプル段階を明示するフローチャートである。
【図１】
2006519731.tif 000003
【図２】
2006519731.tif 000004
【図３】
2006519731.tif 000005
【図４】
2006519731.tif 000006
【図５Ａ】
2006519731.tif 000007
【図５Ｂ】
2006519731.tif 000008
【図６Ａ】
2006519731.tif 000009
【図６Ｂ】
2006519731.tif 000010
【図６Ｃ】
2006519731.tif 000011
【図７】
2006519731.tif 000012
【図８】
2006519731.tif 000013
【図９】
2006519731.tif 000014
【図１０Ａ】
2006519731.tif 000015
【図１０Ｂ】
2006519731.tif 000016
【図１０Ｃ】
2006519731.tif 000017
【図１０Ｄ】
2006519731.tif 000018
【図１０Ｅ】
2006519731.tif 000019
【図１１Ａ】
2006519731.tif 000020
【図１１Ｂ】
2006519731.tif 000021
【図１２】
2006519731.tif 000022
【図１３】
2006519731.tif 000023
【図１４】
2006519731.tif 000024
【図１５】
2006519731.tif 000025
【国際調査報告】
2006519731.tif 000026
2006519731.tif 000027